【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
配達荷物検出システムであって、
第１のワイヤレス通信システム及び無線周波数識別読取り装置を有するドアベルと、
前記第１のワイヤレス通信システムを介して前記ドアベルと通信で結合されたリモートコンピューティングデバイスと、
無線周波数識別タグを有する配達荷物と
を備え、前記ドアベルが、前記配達荷物の前記無線周波数識別タグを読み取る前記無線周波数識別読取り装置によって前記配達荷物を検出するように構成された、システム。
【請求項２】
前記ドアベルが前記配達荷物を検出することに応答して前記ドアベルからリモートコンピュータシステムに送られる第１の通信をさらに備え、前記リモートコンピュータシステムが、前記配達荷物に関する情報を有するデータベースを備える、請求項１に記載のシステム。
【請求項３】
前記リモートコンピュータシステムが前記第１の通信を受信することに応答して前記リモートコンピュータシステムから前記ドアベルに送られる第２の通信をさらに備え、前記第２の通信が、前記配達荷物に関する前記情報を備える、請求項２に記載のシステム。
【請求項４】
前記ドアベルが前記第２の通信を受信することに応答して前記ドアベルから前記リモートコンピューティングデバイスに送られる第３の通信をさらに備え、前記第３の通信が、前記情報を備える、請求項３に記載のシステム。
【請求項５】
前記第３の通信が、いつ前記ドアベルが前記配達荷物を最初に検出したかを示す時間を備える、請求項４に記載のシステム。
【請求項６】
前記ドアベルが前記第２の通信を受信することに応答して前記ドアベルから前記リモートコンピューティングデバイスに送られる第４の通信をさらに備え、前記第４の通信が、前記ドアベルのカメラによって撮られた第１の写真を備える、請求項４に記載のシステム。
【請求項７】
前記ドアベルが前記配達荷物を検出することに応答して前記ドアベルから前記リモートコンピューティングデバイスに送られる第４の通信をさらに備え、前記第４の通信が、前記ドアベルのカメラによって撮られた第１の写真を備える、請求項４に記載のシステム。
【請求項８】
前記ドアベルが前記配達荷物の前記無線周波数識別タグを検出することに応答して前記ドアベルから前記リモートコンピューティングデバイスに送られる第１の通知をさらに備える、請求項１に記載のシステム。
【請求項９】
前記第１の通知が、前記ドアベルが前記配達荷物の前記無線周波数識別タグを検出することに応答して前記ドアベルのカメラによって撮られた第１の写真を備え、
前記リモートコンピューティングデバイスが、表示画面を備え、前記システムが、第１の通知に応答して前記リモートコンピューティングデバイスのユーザが前記表示画面上で前記配達荷物を見ることを可能にするように構成されるように、前記システムが、前記表示画面に表示された前記第１の写真の少なくとも一部をさらに備える、
請求項８に記載のシステム。
【請求項１０】
前記システムが、前記ドアベルの前記無線周波数識別読取り装置の検出範囲からの前記配達荷物の取り去りを検出するように構成されるように、前記配達荷物の前記無線周波数識別タグが前記ドアベルによってもはや検出されないと前記ドアベルが決定することに応答して前記ドアベルから前記リモートコンピューティングデバイスに送られる第２の通知をさらに備え、
前記第２の通知が、前記配達荷物の前記無線周波数識別タグが前記ドアベルによってもはや検出されないと前記ドアベルが決定することに応答して前記ドアベルのカメラによって撮られた第２の写真を備える、
請求項８に記載のシステム。
【請求項１１】
前記ドアベルが前記配達荷物の取り去りを検出することに応答して前記ドアベルから前記リモートコンピューティングデバイスに送られる第２の通知をさらに備える、請求項８に記載のシステム。
【請求項１２】
１回目に前記ドアベルによって検出された前記無線周波数識別タグの第１の信号と、２回目に前記ドアベルによって検出された前記無線周波数識別タグの第２の信号と、前記ドアベルが前記第２の信号は前記第１の信号よりも弱いと決定することによって前記配達荷物の取り去りを検出することに応答して前記ドアベルから前記リモートコンピューティングデバイスに送られる第２の通知とをさらに備え、
前記第２の通知が、前記ドアベルが前記取り去りを検出することに応答して前記ドアベルのカメラによって撮られた第２の写真を備える
請求項８に記載のシステム。
【請求項１３】
配達荷物検出システムであって、
第１のワイヤレス通信システムを有するドアベルと、
玄関の床に配置するように構成された床カバーと
を備え、前記床カバーが、前記床カバー上の配達荷物の第１の指示を検出するように構成されたセンサを備え、前記床カバーが、前記ドアベルに通信で結合された、システム。
【請求項１４】
前記床カバーが前記配達荷物の前記第１の指示を検出することに応答して前記床カバーから前記ドアベルに送られる第１の通信をさらに備え、前記ドアベルが前記第１の通信を受信することに応答して前記ドアベルからリモートコンピューティングデバイスに送られる第２の通信をさらに備える、請求項１３に記載のシステム。
【請求項１５】
前記床カバーが、敷物である、請求項１４に記載のシステム。
【請求項１６】
前記ドアベルが、前記床カバーが前記配達荷物の前記第１の指示を検出することに応答して第１の写真を前記リモートコンピューティングデバイスに送るように構成されるように、前記第２の通信が、前記ドアベルによって撮られた前記第１の写真を備え、
前記第１の写真が、前記配達荷物を示す、
請求項１４に記載のシステム。
【請求項１７】
前記第１の指示が、前記配達荷物の前記床カバーへの到着に関連する、請求項１４に記載のシステム。
【請求項１８】
前記配達荷物に関する第１の警報をさらに備え、前記第１の警報が、前記リモートコンピューティングデバイスが前記第２の通信を前記ドアベルから受信することに応答して前記リモートコンピューティングデバイスに表示される、請求項１４に記載のシステム。
【請求項１９】
前記リモートコンピューティングデバイスに表示されたグラフィカルユーザインターフェースをさらに備え、前記グラフィカルユーザインターフェースが、前記配達荷物に関する情報を表示するように構成された、請求項１４に記載のシステム。
【請求項２０】
前記リモートコンピューティングデバイスに表示されたグラフィカルユーザインターフェースをさらに備え、前記ドアベルが、少なくとも一つのライトを備え、前記グラフィカルユーザインターフェースが、前記ドアベルの前記ライトの少なくとも一つの設定の変更を可能にするように構成された、請求項１４に記載のシステム。
【請求項２１】
前記ドアベルが、前記床カバーが前記配達荷物の前記第１の指示を検出することに応答して少なくとも一枚の写真を撮るように構成されたカメラを備える、請求項１４に記載のシステム。
【請求項２２】
前記ドアベル及び前記床カバーのうちの少なくとも一つに電気的に結合されたカメラをさらに備え、前記システムが前記配達荷物の取り去りを検出することに応答して前記カメラによって撮られるビデオをさらに備え、
前記床カバーが前記配達荷物の前記第１の指示を検出することに応答して前記床カバーから前記ドアベルに送られる第１の通信をさらに備え、前記ドアベルが前記第１の通信を受信することに応答して前記ドアベルからリモートコンピューティングデバイスに送られる第２の通信をさらに備える、
請求項１３に記載のシステム。
【請求項２３】
前記ドアベル及び前記床カバーのうちの少なくとも一つに電気的に結合されたカメラをさらに備え、前記配達荷物が前記床カバー上にあると前記システムが決定した期間に前記カメラの視野に入ったオブジェクトを前記カメラが検出することに応答して前記カメラによって撮られるビデオをさらに備える、請求項１３に記載のシステム。
【請求項２４】
動作検出器と、前記ドアベル及び前記床カバーのうちの少なくとも一つに電気的に結合されたカメラとをさらに備え、前記配達荷物が前記床カバー上にあると前記システムが決定した期間に前記動作検出器が動作指示を検出することに応答して前記カメラによって撮られるビデオをさらに備える、請求項１３に記載のシステム。
【請求項２５】
前記第１の指示が、前記床カバーからの前記配達荷物の取り去りに関連し、前記システムがさらに、前記床カバーが前記第１の指示を検出することに応答して前記床カバーから前記ドアベルに送られる第１の通信をさらに備え、前記ドアベルが前記第１の通信を受信することに応答して前記ドアベルからリモートコンピューティングデバイスに送られる第２の通信をさらに備える、請求項１３に記載のシステム。
【請求項２６】
電気によって前記ドアベルに結合されたカメラ、前記床カバーが前記配達荷物の前記第１の指示を検出することに応答して前記床カバーから前記ドアベルに送られる第１の通信、及び、前記床カバーが前記床カバーからの前記配達荷物の取り去りを検出することに応答して前記カメラによって撮られる写真をさらに備える、請求項１３に記載のシステム。